(57)【要約】【課題】ロードアンロードのためのランプ部材の設置スペースを不要にして設計自由度を増せることができるとともに、ドライブの小型化を図ることができる磁気ディスク装置を提供する。【解決手段】磁気ディスク１の上面を覆うカバー５に設けられたランプ４と、磁気ヘッド２を支持するとともに先端にリフター３ａが設けられて前記リフターが前記ランプと係合又は前記ランプから離間することでロードアンロードを行うアームユニット３とを備える。【選択図】　　　　図１
2004134038.tif 000002
【特許請求の範囲】
【請求項１】
磁気ディスク上面を覆うカバーに設けられたランプと、
磁気ヘッドを支持するとともに先端にリフターが設けられて前記リフターが前記ランプと係合又は前記ランプから離間することでロードアンロードを行うアームユニットとを、
備えた磁気ディスク装置。
【請求項２】
前記磁気ディスクは、中央に空孔無く形成され、前記ランプは、前記磁気ディスクの回転中心位置近傍で前記カバーに設けられて、前記磁気ディスクの回転中心位置近傍でロードアンロードを行うよう構成されている請求項１に記載の磁気ディスク装置。
【請求項３】
前記ランプは、前記カバーと一体に形成されている請求項１又は２に記載の磁気ディスク装置。
【請求項４】
前記ランプは、前記リフターのアンロード方向と直交する方向の係合面が略凸状に形成されている請求項１から３のいずれか１つに記載の磁気ディスク装置。
【請求項５】
前記ランプは、略Ｌ字状で、一端はカバーに係合し他端は開放端であり、Ｌ字部の曲がり角度は鋭角に形成され、前記Ｌ字部の曲げ部と開放端との間にリフターをガイドするための曲がり部を有するものである請求項１から４のいずれか１つに記載の磁気ディスク装置。
【請求項６】
前記ランプのカバー接合部近傍に、前記リフターのアンロード動作のストッパーとなる粘弾性材を配置した請求項１から５のいずれか１つに記載の磁気ディスク装置。
【請求項７】
前記カバーと係合して前記ランプの高さを調整可能にする調整ねじを備えた請求項１から６のいずれか１つに記載の磁気ディスク装置。
【請求項８】
前記調整ねじの周囲に、前記リフターのアンロード動作のストッパーを配置した請求項７に記載の磁気ディスク装置。
【発明の詳細な説明】
【０００１】
【発明の属する技術分野】
本発明は、ロードアンロード方式の磁気ディスク装置に関する。
【０００２】
【従来の技術】
従来、磁気ディスク装置の分野では、磁気ディスクの回転により生ずる空気流を利用し、磁気ヘッドが磁気ディスク面から浮上する方式が良く知られている（特許文献１）。従来の方式では、非動作時には、磁気ヘッドを磁気ディスクの退避位置に移動させた後、磁気媒体の回転を停止し、磁気ヘッドと磁気媒体を接触させ、動作時には、磁気媒体を回転させ磁気ヘッドを磁気媒体面から所望量浮上させ、データ領域に移動させ、磁気媒体に読み書きする。この方式はいわゆるコンタクトスタートストップ（ＣＳＳ）方式として知られている。
【０００３】
【特許文献１】
特開平１１−６８０５６号公報
【０００４】
このＣＳＳ方式は、磁気媒体と磁気ヘッドが接触時に潤滑材のメニスカス力によって吸着し磁気媒体が起動しないという課題があり、磁気媒体面にテクスチャーと呼ばれる微小な凹凸を形成し吸着を回避してきた。
【０００５】
しかしながら、近年、磁気ヘッドの浮上量が著しく低下し、これに伴って磁気媒体を平滑にする必要が生じた。そこで、従来のＣＳＳ方式から、磁気媒体の回転起動及び停止時に磁気ヘッドを磁気媒体から離間させるロードアンロード方式が採用されるようになってきた。
【０００６】
図１０に、現在用いられているロードアンロード方式を示す。磁気ディスク１の情報はアームユニット３に支持されている磁気ヘッド２により読み書きされる。アームユニット３の先端にはリフター３ａが形成されている。アンロード時には、アームユニット３が磁気ディスク１の外周方向に向けて回転し、最外周近傍でリフター３ａがシャーシ（図示せず）に固定されたランプ４に接触しその斜面を昇ることで、磁気ヘッド２は磁気ディスク１より離間する。ロード時には、アンロードと逆方向の動作をして磁気ディスク１上に磁気ヘッド２が降りる。このように、ロードアンロード方式では、磁気ディスク１の回転起動及び停止時に磁気ヘッド２を磁気ディスク１から離間させることができるので、吸着問題が発生しないという利点がある。なお、ロードアンロード方式では、磁気ヘッド２が昇降する磁気ディスク１の外周部に、昇降時の磁気ディスクへのダメージによるデータ欠陥を防ぐ目的でロードアンロード領域を設ける必要がある。
【０００７】
【発明が解決しようとする課題】
しかしながら、上述したロードアンロード方式は、ＣＳＳ方式と比較してランプ４を追加し、シャーシ上に固定するため、新たな配置スペースを確保しなければならなかった。このため、近年の小型設計の妨害要因となった。また、実面積が広い磁気ディスク１の外周部にロードアンロード領域を設ける必要があるため、磁気ディスク１を有効に使っていないという課題があった。さらに、ランプ４を別部材で追加するため、材料のコストアップ、組み立てのコストアップという課題もあった。
【０００８】
本発明は上述した点に鑑みてなされたもので、ロードアンロードのためのランプ部材の設置スペースを不要にして設計自由度を増せることができるとともに、ドライブの小型化を図ることができる磁気ディスク装置を提供することを目的とする。
【０００９】
【課題を解決するための手段】
本発明に係る磁気ディスク装置は、磁気ディスク上面を覆うカバーに設けられたランプと、磁気ヘッドを支持するとともに先端にリフターが設けられて前記リフターが前記ランプと係合又は前記ランプから離間することでロードアンロードを行うアームユニットとを備えたものである。この構成により、ランプを固定するスペースは不要となり、設計自由度を増せるとともにドライブの小型化が容易になる。
【００１０】
また、前記磁気ディスクは、中央に空孔無く形成され、前記ランプは、前記磁気ディスクの回転中心位置近傍で前記カバーに設けられて、前記磁気ディスクの回転中心位置近傍でロードアンロードを行うものである。この構成により、実面積の小さいディスク内周部にロードアンロード領域を割り当てることができるため、磁気ディスク面を効率良く使用できる。
【００１１】
また、前記ランプは、前記カバーと一体に形成されているものである。この構成により、ランプを別部材として加える必要がなく、材料コストの低減、組み立てコストの低減を実現できる。
【００１２】
また、前記ランプは、前記リフターのアンロード方向と直交する方向の係合面が略凸状に形成されているものである。この構成により、リフターはランプのエッジに接触すること無く面同士で接触するため、スムーズにロードアンロードできる。
【００１３】
また、前記ランプは、略Ｌ字状にで、一端はカバーに係合し他端は開放端であり、Ｌ字部の曲がり角度は鋭角に形成され、Ｌ字部の曲げ部と開放端との間にリフターをガイドするための曲がり部を有するものである。この構成により、リフターはランプガイド部に沿いながらランプに係合できるとともに、アンロードの最終位置としてＬ字部の鋭角部に位置する。このため、アンロード時に衝撃が加わった場合でもランプ部から離れること無く、したがって、磁気ディスク上に降りることを防げる。
【００１４】
また、前記ランプのカバー接合部近傍に、前記リフターのアンロード動作のストッパーとなる粘弾性材を配置したことを特徴とするものである。この構成により、新たにストッパーを設ける必要がなく、ドライブ内のスペース余裕ができ、小型化を図ることができるとともに、材料コスト低減、組み立て工数削減ができる。
【００１５】
また、前記カバーと係合して前記ランプの高さを調整可能にする調整ねじを備えたものである。この構成により、リフターをガイドするランプの開放端の高さを調整でき、確実にリフターがランプに係合できる。したがって、構成部品は寸法公差を厳しくすることなく作成でき、材料コストダウンの効果もある。
【００１６】
さらに、前記調整ねじの周囲に、前記リフターのアンロード動作のストッパーを配置したものである。この構成により、新たにストッパーを設ける必要がなく、ドライブ内のスペース余裕ができ、小型化を図ることができるとともに、材料コスト低減、組み立て工数削減ができる。
【００１７】
【発明の実施の形態】
以下、本発明の各実施の形態について図面を参照して説明する。
＜第１の実施の形態＞
図１は、本発明の第１の実施の形態に係る磁気ディスク装置を示す要部斜視図である。磁気ディスク１の情報はアームユニット３に支持されている磁気ヘッド２により読み書きされる。アームユニット３の先端にはリフター３ａが形成され、磁気ヘッド２を挟んでリフター３ａとは反対側にアームばね３ｂが形成されている。ランプ４は磁気ディスク１上面を覆うカバー５に設けられており、本図ではカバー５にかしめられている。アンロード時には、リフター３ａがランプ４に接触係合し、アームばね３ｂを弾性変形させることで、磁気ヘッド２は磁気ディスク１から離間する。他方、ロード時には、アンロード時と逆方向にアームユニット３が移動し、リフター３ａがランプ４から離れ、磁気ヘッド２が磁気ディスク１の面上に降下する。
【００１８】
以上のように、第１の実施の形態によれば、磁気ディスク１上面を覆うカバー５にランプ４を設け、磁気ヘッド２を支持するアームユニット３の先端に設けられたリフター３ａがランプ４と係合又はランプ４から離間することによりロードアンロードを行うことで、ランプ４をシャーシ（図示せず）に固定するスペースは不要となり、設計自由度が増せるとともにドライブの小型化が容易になる。
【００１９】
＜第２の実施の形態＞
図２は、本発明の第２の実施の形態に係る磁気ディスク装置の動作を説明するための要部側面図である。ここで、磁気ディスク１は中央に空孔無く形成されている。また、ランプ４は、図２に示すように、磁気ディスク１の回転中心位置近傍でカバー５に設けられている。このため、ランプ４のカバー５に固定されている側と反対の自由端は、磁気ヘッド１が浮上できる浮上可能領域１ｂの内周限界に位置したときにリフター３ａと接触し係合するように配置されており、この浮上可能領域１ｂをデータ領域として使用可能である。すなわち、ロードアンロード領域を浮上可能領域１ｂの最内周に配置できる。なお、浮上不可能領域１ａでは磁気ディスク１の回転中心位置からの回転半径が短いため磁気ヘッド２は浮上できない。
【００２０】
したがって、第２の実施の形態によれば、ランプ４を、磁気ディスク１の回転中心位置近傍でカバー５に設けて、磁気ディスク１の回転中心位置近傍でロードアンロードを行うことで、実面積の大きな磁気ディスク１外周側をデータ領域に割り当て、実面積の小さい内周側をロードアンロード領域に割り当てるため、磁気ディスク１全体を効率良く使用できる。
【００２１】
＜第３の実施の形態＞
図３は、本発明の第３の実施の形態に係る磁気ディスク装置を説明するための要部斜視図である。図３に示すように、ランプ４はカバー５と一体に形成されている。このように、ランプ４をカバー５と一体に形成することで、ランプ４を別部材として加える必要がなく、材料のコスト低減、組み立てのコスト低減を実現できる。
【００２２】
＜第４の実施の形態＞
図４は、本発明の第４の実施の形態に係る磁気ディスク装置を説明するための図を示し、（ａ）は要部斜視図、（ｂ）は要部側面図である。ここで、ランプ４は、リフター３ａのアンロード方向と直交する方向の係合面が略凸状に形成されている。本図では、ランプ４としてプレス品を略凸状に形成したものを図示しているが、樹脂成形品でもよい。
【００２３】
このように、ランプ４を略凸状に形成することで、リフター３ａは、ランプ４のエッジに接触すること無く、スムーズにロードアンロードできる。
【００２４】
＜第５の実施の形態＞
図５は、本発明の第５の実施の形態に係る磁気ディスク装置の要部斜視図である。図５に示すように、ランプ４は、略Ｌ字状に形成され、一端はカバー５に係合し他端は開放端４ａであり、Ｌ字部コーナ４ｂの曲がり角度は鋭角に形成し、Ｌ字部の曲げ部と開放端との間にリフター３ａをガイドするためのガイド曲がり部４ｃを有するように構成している。
【００２５】
この構成により、アンロード時に、リフター３ａは、開放端４ａからガイド曲がり部４ｃに向けてスムーズに動き、アンロードの最終位置としてＬ字部コーナ４ｂに位置する。Ｌ字部コーナ４ｂは鋭角に形成され、リフター３ａが鋭角部に位置するため、アンロード時に衝撃が加わった場合でもランプ部から離れること無く、したがって、磁気ヘッド２が磁気ディスク１上に落ちることを防ぐことができる。なお、ガイド曲がり部４ｃは、図６に示すような滑らかな曲率をもつ形状に形成されていても良く、この場合、リフター３ａのアンロード動作がスムーズになる。
【００２６】
＜第６の実施の形態＞
図７は、本発明の第６の実施の形態に係る磁気ディスク装置の要部を示す斜視図である。図７に示すように、ランプ４のカバー接合部近傍には粘弾性材のストッパー６が配置されている。このため、アンロード時に、リフター３ａは、ランプ４にガイドされてカバー接合部近傍へ向けて移動し、移動途中で電気的駆動力をオフにするため、途中より慣性力のみで移動することになり、ストッパー６に当たり移動が止まる。このストッパー６は、リフター３ａが反発しないよう、またダメージを受けないよう粘弾性材で形成されている。
【００２７】
したがって、この構成により、新たにストッパーを設ける必要がなく、ドライブ内のスペース余裕ができ、小型化を図ることができるとともに、材料コストの低減、組み立て工数の削減ができる。
【００２８】
＜第７の実施の形態＞
図８は、本発明の第７の実施の形態に係る磁気ディスク装置の要部を示す側面図である。図８に示すように、カバー５には雌ねじ部５ａが形成されており、雌ねじ部５ａには調整ねじ７が係合している。調整ねじ７の先端はランプ４に当接しランプ４を弾性変形させ、ランプ４の開放端４ａの高さを調節できる。ここで、ランプ４はリフター３ａからの荷重では変形しないよう充分に剛性が高く形成されている。
【００２９】
この構成により、リフター３ａをガイドするランプ４の開放端の高さを調整でき、確実にリフター３ａがランプ４に係合できる。したがって、構成部品は寸法公差を厳しくすることなく作成でき、材料コストダウンの効果もある。
【００３０】
＜第８の実施の形態＞
図９は、本発明の第８の実施の形態に係る磁気ディスク装置の要部を示す側面図である。図９に示すように、前述した図８に示す第７の実施の形態で示された調整ねじ７の周囲にはストッパー８が配置されている。このため、アンロード時に、リフター３ａはランプ４にガイドされてカバー接合部近傍へ向けて移動し、移動途中で電気的駆動力がオフすることにより、途中より慣性力のみで移動し、調整ねじ７の周囲に配置したストッパー８に当たり移動が止まることになる。ここで、ストッパー８は、リフター３ａが反発しないよう、またダメージを受けないよう粘弾性材で形成されている。
【００３１】
したがって、この構成により、新たにストッパーを設ける必要がなく、ドライブ内のスペース余裕ができ、小型化を図ることができるとともに、材料コスト低減、組み立て工数削減ができる。
【００３２】
【発明の効果】
以上説明したように、本発明によれば、磁気ディスク上面を覆うカバーにランプを設け、磁気ヘッドを支持するアームユニット先端に設けられたリフターが前記ランプに係合することでロードアンロードを行うよう構成したことにより、ランプ部材をシャーシに固定するスペースは不要となり、これにより、設計自由度を増せるとともにドライブの小型化が容易になる。
【図面の簡単な説明】
【図１】本発明の第１の実施の形態に係る磁気ディスク装置を示す要部斜視図
【図２】本発明の第２の実施の形態に係る磁気ディスク装置の動作を説明するための要部側面図
【図３】本発明の第３の実施の形態に係る磁気ディスク装置を説明するための要部斜視図
【図４】本発明の第４の実施の形態に係る磁気ディスク装置を説明するための斜視図と側面図
（ａ）要部斜視図
（ｂ）要部側面図
【図５】本発明の第５の実施の形態に係る磁気ディスク装置の要部斜視図
【図６】本発明の第５の実施の形態に係る磁気ディスク装置の他の例を示す斜視図
【図７】本発明の第６の実施の形態に係る磁気ディスク装置の要部を示す斜視図
【図８】本発明の第７の実施の形態に係る磁気ディスク装置の要部を示す側面図
【図９】本発明の第８の実施の形態に係る磁気ディスク装置の要部を示す側面図
【図１０】従来例に係る磁気ディスク装置を示す側面図
【符号の説明】
１　磁気ディスク
１ａ　浮上不可能領域
１ｂ　浮上可能領域
２　磁気ヘッド
３　アームユニット
３ａ　リフター
３ｂ　アームばね
４　ランプ
４ａ　開放端
４ｂ　Ｌ字部コーナ
４ｃ　ガイド曲がり部
５　カバー
５ａ　雌ねじ部
６、８　ストッパー
７　調整ねじ
【図１】
2004134038.tif 000003
【図２】
2004134038.tif 000004
【図３】
2004134038.tif 000005
【図４】
2004134038.tif 000006
【図５】
2004134038.tif 000007
【図６】
2004134038.tif 000008
【図７】
2004134038.tif 000009
【図８】
2004134038.tif 000010
【図９】
2004134038.tif 000011
【図１０】
2004134038.tif 000012